(57)【特許請求の範囲】
【請求項１】
前面パネルとファンネルとからなる外囲器と、前記ファンネルのネック部内に設けられた電子銃と、前記前面パネルの内面に形成された蛍光体スクリーンと、前記蛍光体スクリーンに対向する色選別電極と、前記色選別電極が固定されるフレームと、前記フレームに固定される内部磁気シールドとを有する陰極線管であって、
前記内部磁気シールドは、前記フレームに固定される底辺壁を有する第１シールド片と第２シールド片とからなり、
前記第１シールド片の前記底辺壁の先端部は、前記フレームから遠ざけられるような力を受ける一方、前記第２シールド片の前記底辺壁の先端部は、前記フレームに圧着されるような力を受けており、前記第１シールド片の前記底辺壁の上に前記第２シールド片の前記底辺壁が重なって互いに逆向きの力を及ぼしあっていることを特徴とする陰極線管。
【請求項２】
前面パネルとファンネルとからなる外囲器と、前記ファンネルのネック部内に設けられた電子銃と、前記前面パネルの内面に形成された蛍光体スクリーンと、前記蛍光体スクリーンに対向する色選別電極と、前記色選別電極が固定されるフレームと、前記フレームに固定される内部磁気シールドとを有する陰極線管であって、
前記内部磁気シールドは、前記フレームに固定される底辺壁を有する第１シールド片と第２シールド片とからなり、
前記フレームの、前記第１シールド片の前記底辺壁が固定される面に、突出部と、前記突出部よりも中央寄りに位置し前記第１シールド片の前記底辺壁を固定するための底辺固定部とが設けられており、
前記フレームの、前記第２シールド片の前記底辺壁が固定される面に、前記第２シールド片の前記底辺壁を固定するための底辺固定部と、前記底辺固定部よりも中央寄りに位置する突出部とが設けられており、
前記第１シールド片の前記底辺壁の上に前記第２シールド片の前記底辺壁が重なっていることを特徴とする陰極線管。
【請求項３】
前記第１シールド片と前記第２シールド片は、それぞれ、台形状の長辺壁と短辺壁とからなり、前記長辺壁の斜辺から続く第１側壁と、前記短辺壁の斜辺から続く第２側壁とを有し、前記第１シールド片の前記第１側壁と前記第２シールド片の前記第２側壁とが重なり合い、前記第１シールド片の前記第２側壁と前記第２シールド片の前記第１側壁とが重なり合い、
前記第１シールド片の前記第１側壁又は第２側壁に結合片が設けられており、前記第２シールド片の前記第１側壁又は前記第２側壁に前記結合片が挿入される結合孔が設けられている、請求項１又は２に記載の陰極線管。
【請求項４】
前記結合片は、前記第１側壁又は第２側壁から前記電子銃の向きに突出する舌片状のものである、請求項３に記載の陰極線管。
【請求項５】
前記第１シールド片と前記第２シールド片は、それぞれ、台形状の長辺壁と短辺壁とからなり、前記長辺壁の斜辺から続く第１側壁と、前記短辺壁の斜辺から続く第２側壁とを有し、前記第１シールド片の前記第１側壁と前記第２シールド片の前記第２側壁とが重なり合い、前記第１シールド片の前記第２側壁と前記第２シールド片の前記第１側壁とが重なり合い、
前記第２シールド片の前記第１側壁又は第２側壁に結合片が設けられており、前記第１シールド片の前記第１側壁又は第２側壁に前記結合片が挿入される結合孔が設けられている、請求項１又は２に記載の陰極線管。
【請求項６】
前記結合片は、前記第１側壁又は第２側壁から前記前面パネルの向きに突出する舌片状のものである、請求項５に記載の陰極線管。
【発明の詳細な説明】
【０００１】
【発明の属する技術分野】
本発明は陰極線管に関し、特に、陰極線管内部に備えられた、地磁気などの外部磁界による電子ビームのミスランディングを抑制するための内部磁気シールドの構造に関する。
【０００２】
【従来の技術】
図１１は、カラー陰極線管の側面断面図を示す。
【０００３】
前面パネル１とファンネル２とが一体化されて外囲器３を形成している。前面パネル１の内面に、蛍光体スクリーン４が形成されている。フレーム１３に固定された色選別電極（例えばシャドウマスク）５が、蛍光体スクリーン４に対向している。フレーム１３は、その外周面に設置された板バネ状の弾性支持体（図示せず）を、前面パネル１の内面に設けられたパネルピン（図示せず）に掛止することで、前面パネル１に保持されている。ファンネル２のネック部には電子銃６が内蔵されている。ファンネル２の外周面上には偏向ヨーク８が設けられており、電子銃６からの電子ビーム７は水平方向及び垂直方向に偏向されて、蛍光体スクリーン４上を走査される。
【０００４】
陰極線管に地磁気などの外部磁界が作用すると、電子ビーム７の軌道が変化して、電子ビーム７が蛍光体スクリーン４の所望する位置に到達しない、いわゆるミスランディングを生じる。この結果、カラー陰極線管においては、色ずれなどの好ましくない現象が生じ、表示画像の品位を低下させる。外部磁界の方向は陰極線管の設置方向によって異なり、また、その大きさは陰極線管の設置位置によって異なる。したがって、陰極線管の設置方向や設置位置にかかわらず常に安定した画像表示を行なうためには、電子ビーム７を外部磁界から遮蔽するか、あるいは外部磁界を少なくともミスランディングを生じない方向の磁界に変換する必要がある。このような目的のため、陰極線管の内部に内部磁気シールド２０が設置されている。
【０００５】
図１２は、従来の内部磁気シールドの斜視図であり、（ａ）は分解された状態を、（ｂ）は組み立てられた状態をそれぞれ示す。内部磁気シールド２０は、プレスあるいは折り曲げ成型された、底辺が９０°をなす２面の台形状の壁面からなる第１シールド片１８と、第１シールド片１８と実質的に同一形状の第２シールド片１９とが組み合わされて構成される。これらは、抵抗溶接等により略四角錘面の一部を形成するように接合される。内部磁気シールド２０は、組み立てられた後に黒化処理される。
【０００６】
【発明が解決しようとする課題】
上記構成では、溶接工程が必要なことに加え、組み立て後に黒化処理するので黒化処理炉の処理効率が低い等の課題がある。
【０００７】
図１３に示すように、相対する２つのプレス成型されたシールド片１８、１９の上端に折り曲げ用の突起片１０１を設け、突起片１０１を折り曲げて結合する方法が提案されている。（ａ）は分解された状態を、（ｂ）は組み立てられた状態をそれぞれ示す。しかし、この構成では結合力が比較的弱く、振動により２つのプレス成型された部品がこすれた場合、磨耗により陰極線管内に異物が発生するという問題がある。
【０００８】
また、特開平１１−６７１１７号公報には、プレス成型された２つのシールド片を結合するための結合片および結合孔の形状について提案されている。しかし、この構成では折り曲げる工程が必要であり、その後の陰極線管の製造過程で施される熱処理等でスプリングバックが起こり、折り曲げ結合力が低下するという問題がある。
【０００９】
本発明は、上記の種々の問題点を解決するためになされたものであり、第１シールド片と第２シールド片とを簡易な構成により安定的に結合することができる内部磁気シールド、およびそれを備えた陰極線管を提供することを目的とする。
【００１０】
【課題を解決するための手段】
本発明の陰極線管は、前面パネルとファンネルとからなる外囲器と、前記ファンネルのネック部内に設けられた電子銃と、前記前面パネルの内面に形成された蛍光体スクリーンと、前記蛍光体スクリーンに対向する色選別電極と、前記色選別電極が固定されるフレームと、前記フレームに固定される内部磁気シールドとを有する陰極線管であって、前記内部磁気シールドは、前記フレームに固定される底辺壁を有する第１シールド片と第２シールド片とからなり、前記第１シールド片の前記底辺壁の先端部は、前記フレームから遠ざけられるような力を受ける一方、前記第２シールド片の前記底辺壁の先端部は、前記フレームに圧着されるような力を受けており、前記第１シールド片の前記底辺壁の上に前記第２シールド片の前記底辺壁が重なって互いに逆向きの力を及ぼしあっていることを特徴とする（請求項１）。
【００１１】
本発明によれば、底辺壁どうしが重なり合う端部においては、各々の底辺壁は互いに逆向きの力を及ぼし合う。この作用により、第１シールド片と第２シールド片とは相互にスリップすることなく、フレームに安定的に固定される。
【００１２】
また、本発明の陰極線管は、前面パネルとファンネルとからなる外囲器と、前記ファンネルのネック部内に設けられた電子銃と、前記前面パネルの内面に形成された蛍光体スクリーンと、前記蛍光体スクリーンに対向する色選別電極と、前記色選別電極が固定されるフレームと、前記フレームに固定される内部磁気シールドとを有する陰極線管であって、前記内部磁気シールドは、前記フレームに固定される底辺壁を有する第１シールド片と第２シールド片とからなり、前記フレームの、前記第１シールド片の前記底辺壁が固定される面に、突出部と、前記突出部よりも中央寄りに位置し前記第１シールド片の前記底辺壁を固定するための底辺固定部とが設けられており、前記フレームの、前記第２シールド片の前記底辺壁が固定される面に、前記第２シールド片の前記底辺壁を固定するための底辺固定部と、前記底辺固定部よりも中央寄りに位置する突出部とが設けられており、前記第１シールド片の前記底辺壁の上に前記第２シールド片の前記底辺壁が重なっていることを特徴とする（請求項２）。
【００１３】
本発明によれば、底辺壁どうしが重なり合う端部においては、各々の底辺壁は互いに逆向きの力を及ぼし合う。この作用により、第１シールド片と第２シールド片とは相互にスリップすることなく、フレームに安定的に固定される。
【００１４】
また、本発明の陰極線管においては、前記第１シールド片と前記第２シールド片は、それぞれ、台形状の長辺壁と短辺壁とからなり、前記長辺壁の斜辺から続く第１側壁と、前記短辺壁の斜辺から続く第２側壁とを有し、前記第１シールド片の前記第１側壁と前記第２シールド片の前記第２側壁とが重なり合い、前記第１シールド片の前記第２側壁と前記第２シールド片の前記第１側壁とが重なり合い、前記第１シールド片の前記第１側壁又は第２側壁に結合片が設けられており、前記第２シールド片の前記第１側壁又は前記第２側壁に前記結合片が挿入される結合孔が設けられている（請求項３）。
【００１５】
本発明によれば、底辺壁どうしが重なり合う端部においては、各々の底辺壁は互いに逆向きの力を及ぼし合う。この作用により、結合片と結合孔とのかみ合いが保たれ、第１シールド片と第２シールド片とは相互にスリップすることなく、安定的に固定される。
【００１６】
また、前記結合片は、前記第１側壁又は第２側壁から前記電子銃の向きに突出する舌片状のものである（請求項４）。
【００１７】
また、本発明の陰極線管においては、前記第１シールド片と前記第２シールド片は、それぞれ、台形状の長辺壁と短辺壁とからなり、前記長辺壁の斜辺から続く第１側壁と、前記短辺壁の斜辺から続く第２側壁とを有し、前記第１シールド片の前記第１側壁と前記第２シールド片の前記第２側壁とが重なり合い、前記第１シールド片の前記第２側壁と前記第２シールド片の前記第１側壁とが重なり合い、前記第２シールド片の前記第１側壁又は第２側壁に結合片が設けられており、前記第１シールド片の前記第１側壁又は第２側壁に前記結合片が挿入される結合孔が設けられている（請求項５）。
【００１８】
本発明によれば、底辺壁どうしが重なり合う端部においては、各々の底辺壁は互いに逆向きの力を及ぼし合う。この作用により、結合片と結合孔とのかみ合いが保たれ、第１シールド片と第２シールド片とは相互にスリップすることなく、フレームに安定的に固定される。
【００１９】
また、前記結合片は、前記第１側壁又は第２側壁から前記前面パネルの向きに突出する舌片状のものである（請求項６）。
【００２０】
【発明の実施の形態】
本発明の特徴部である内部磁気シールドおよびフレームの構造について詳しく説明する。
【００２１】
図１は、本発明に係る内部磁気シールドおよびフレームを分解した状態を示す斜視図である。
【００２２】
フレーム１３の、蛍光体スクリーンに対向する面と反対側の面１３１に、内部磁気シールド２０が固定される。内部磁気シールド２０は、台形状の長辺壁１８１と短辺壁１８２とからなる第１シールド片１８と、台形状の長辺壁１９１と短辺壁１９２とからなる、第１シールド片１８とほぼ同一形状の第２シールド片１９とからなる。すなわち、内部磁気シールド２０は、対角線に沿って２分割されたような形態である。第１シールド片１８は、台形状の長辺壁１８１と短辺壁１８２とが、その底辺が９０°をなすとともに、斜辺において折り曲げられてつながっている。第２シールド片１９も同様である。
【００２３】
図２は、第１シールド片１８と第２シールド片１９とを分解した状態を示す斜視図である。
【００２４】
第１シールド片１８は、長辺壁１８１の斜辺から内側に折り曲げられて長辺壁１８１から続く第１側壁２１ａと、短辺壁１８２の斜辺から内側に折り曲げられて短辺壁１８２から続く第２側壁２１ｂとを有する。長辺壁１８１および短辺壁１８２は、底辺において外側に折り曲げられて底辺から続く、フレーム１３に固定される底辺壁１７１を構成する。第２シールド片１９も同様に、長辺壁１９１、短辺壁１９２、第１側壁２２ａ、第２側壁２２ｂ、底辺壁１７２をそれぞれ有する。
【００２５】
第１シールド片１８の第１側壁２１ａと、第２シールド片１９の第２側壁２２ｂとは、内部磁気シールドを組み立てた状態において重なり合うように形成されている。また、第１シールド片１８の第２側壁２１ｂと、第２シールド片１９の第１側壁２２ａとは、内部磁気シールドを組み立てた状態において重なり合うように形成されている。
【００２６】
第１シールド片１８の第１側壁２１ａおよび第２側壁２１ｂには、壁の一部に切り込みを入れ、起こして形成した上向きに突出する舌片状の結合片２３ａ、２３ｂがそれぞれ設けられている。第２シールド片１９の第１側壁２２ａおよび第２側壁２２ｂには、結合片２３ａ、２３ｂが挿入されて引っ掛かる結合孔２４ａ、２４ｂがそれぞれ設けられている。
【００２７】
第１シールド片１８の底辺壁１７１には底辺孔１６１、１６３が、第２シールド片１９の底辺壁１７２には底辺孔１６２、１６３（図示せず）が、それぞれ設けられている。第１シールド片１８の底辺壁１７１は、長辺壁１８１および短辺壁１８２の底辺から、端部が突出している。第２シールド片１９の底辺壁１７２も、長辺壁１９１および短辺壁１９２の底辺から、端部が突出している。底辺壁１７１、１７２は、内部磁気シールドを組み立てた状態において、端部が重なり合う。
【００２８】
図３は、フレーム１３の斜視図を示す。
【００２９】
フレーム１３の、第１シールド片１８の底辺壁１７１が固定される辺においては、辺の端部近傍に突起（請求項にいう「突出部」）１５１が設けられている。突起１５１よりも辺の中央寄りに、第１シールド片１８の底辺壁１７１を固定するためのフレーム孔１４１が設けられている（請求項にいう「底辺固定部」）。一方、第２シールド片１９の底辺壁１７２が固定される辺においては、辺の端部近傍に第２シールド片１９のフレーム孔１４２が設けられており、フレーム孔１４２よりも辺の中央寄りに突起１５２が設けられている。突起１５１、１５２は、例えば円柱状のものである。また、突起１５１、１５２が設けられていない端部に、フレーム孔１４３が設けられている。
【００３０】
次に、フレーム１３に第１シールド片１８および第２シールド片１９を固定する構造および順序について説明する。
【００３１】
まず、フレーム１３に第１シールド片１８を固定する。
【００３２】
図４は、第１シールド片１８をフレーム１３に固定した状態を示す斜視図である。図５は、フレーム１３および底辺壁１７１の端部を拡大して示す側面断面図である。
【００３３】
フレーム１３に設けられたフレーム孔１４１、１４３と、底辺壁１７１に設けられた底辺孔１６１、１６３の位置を合わせ、各孔にクランピングスプリング１２を挿入して、フレーム１３と第１シールド片１８とを固定する。第１シールド片１８の底辺壁１７１は、底辺孔１６１の部位においてクランピングスプリング１２によってフレーム１３に圧着される一方、突起１５１によりフレーム１３から離れる方向（図では上方向）の力を受けて先端部が持上げられる。すなわち、底辺壁１７１は、突起１５１と底辺孔１６１との間において、中央部から端部に向かってフレーム１３から遠ざかるような傾斜を有する。これは、長辺側も短辺側も同様である。
【００３４】
次に、第２シールド片１９をフレーム１３に固定する。
【００３５】
図６は、第２シールド片１９を第１シールド片１８の上からフレーム１３に固定した状態を示す斜視図である。図７は、フレーム１３および底辺壁１７２の端部を拡大して示す側面断面図である。説明の便宜上、第２シールド片１９のみをフレーム１３に固定した場合を示す。
【００３６】
フレーム１３に設けられたフレーム孔１４２、１４３と、底辺壁１７２に設けられた底辺孔１６２、１６３（図示せず）の位置を合わせ、各孔にクランピングスプリング１２を挿入して、フレーム１３と第２シールド片１９とを固定する。第２シールド片１９の底辺壁１７２は、突起１５２によって上方に持ち上げられる一方、クランピングスプリング１２によりフレーム１３に圧着されるような力を受けて先端部が下向きに押し下げられる。すなわち、底辺壁１７２は、突起１５２と底辺孔１６２との間において、端部から中央部に向かってフレーム１３から遠ざかるような傾斜を有する。これは、長辺側も短辺側も同様である。
【００３７】
また、第１シールド片１８の第１側壁２１ａ（図示せず）の上に第２シールド片１９の第２側壁２２ｂが重なり、第１側壁２１ａの結合片２３ａと第２側壁２２ｂの結合孔２４ｂとがかみ合っている。同様に、第１シールド片１８の第２側壁２１ｂ（図示せず）の上に第２シールド片１９の第１側壁２２ａが重なり、第２側壁２１ｂの結合片２３ｂと第１側壁２２ａの結合孔２４ａとがかみあっている。図８は、側壁におけるかみ合いの様子を示す部分拡大図であり、（ａ）は分解した状態を、（ｂ）はかみ合った状態をそれぞれ示す。
【００３８】
底辺壁１７１、１７２の端部においては、フレーム１３、第１シールド片１８の底辺壁１７１、第２シールド片１９の底辺壁１７２の順に重なり合っている。前述のように、底辺壁１７１は端部に近づくほどフレーム１３から遠ざかろうとし、一方、底辺壁１７２は端部に近づくほどフレーム１３に近づこうとする。したがって、底辺壁１７１と底辺壁１７２とが重なり合う端部においては、底辺壁１７１と底辺壁１７２は互いに逆向きの力を及ぼし合う。この作用により、結合片２３ａ、２３ｂと結合孔２４ｂ、２４ａとのかみ合いが保たれ、第１シールド片１８と第２シールド片１９とは相互にスリップすることなく、安定的に固定される。また、てこの原理により、クランピングスプリング１２にも常にテンションがかかった状態となるので、クランピングスプリング１２のがたつきもない。
【００３９】
なお、底辺壁とフレームとの固定は、結合孔とクランピングスプリングとの組み合わせではなく、溶接やネジ止めにより行うこともできる。
【００４０】
突起と結合孔の位置および大きさの一例を示す。フレーム１３の長辺において、フレーム１３の端から突起１５１の中心までの距離が２０ｍｍ、フレーム孔１４１までの距離が４０ｍｍであり、突起１５１の高さが２ｍｍである。一方、フレーム１３の短辺において、フレーム１３の端から突起１５２までの距離が３５ｍｍ、フレーム孔１４２までの距離が１５ｍｍであり、突起１５２の高さが２ｍｍである。
【００４１】
図９に示すように、結合片２３ａと結合孔２４ｂに加え、もう１組の結合片２５ａと結合孔２６ｂを設ければ、第１シールド片１８と第２シールド片１９との結合をより強固なものとすることができる。図９は、側壁におけるかみ合いの様子を示す部分拡大図であり、（ａ）は分解した状態を、（ｂ）はかみ合った状態をそれぞれ示す。
【００４２】
上記実施の形態とは逆に、第１シールド片に結合孔を、第２シールド片に結合孔を設けることもできる。すなわち、第２シールド片の第１側壁および第２側壁に、壁の一部に切り込みを入れ、起こして形成した下向きに突出する舌片状の結合片をそれぞれ設ける。一方、第１シールド片の第１側壁および第２側壁に、結合片が挿入されて引っ掛かる結合孔をそれぞれ設ける。他の部分は上記実施の形態と同様である。この構成によっても、上記実施の形態と同様に、底辺壁が重なり合う端部において、互いに逆向きの力を及ぼし合い、結合片と結合孔とのかみ合いが保たれる。
【００４３】
図１０は、結合片と結合孔の他の形態を示し、（ａ）は分解した状態を、（ｂ）はかみ合った状態をそれぞれ示す。
【００４４】
第１シールド片１８の第１側壁２１ａおよび第２側壁２１ｂ（図示せず）には、壁の一部に切り込みを入れ、起こしてＬ字状に形成した結合片３１がそれぞれ設けられている。第２シールド片１９の第１側壁２２ａ（図示せず）および第２側壁２２ｂには、結合片３１が挿入されて引っ掛かる結合孔３２がそれぞれ設けられている。
【００４５】
結合孔３２は、結合片３１を挿入できる幅を有する部分と、結合片３１の厚さより若干大きめの幅を有し結合片３１とかみ合う部分とからなる。第１シールド片１８に第２シールド片１９を組み合わせる際に結合片３１がスムーズに移動するように、結合孔３２の２つの幅の部分が斜面でつながっている。
【００４６】
【発明の効果】
以上説明したように本発明は、簡易な構造でしかも安定的に結合され振動による摩耗や異物の発生を抑制することができる内部磁気シールド、ならびにこれを備えた陰極線管を提供するものである。
【図面の簡単な説明】
【図１】本発明に係る内部磁気シールドおよびフレームを分解した状態を示す斜視図
【図２】第１シールド片と第２シールド片とを分解した状態を示す斜視図
【図３】フレームの斜視図
【図４】第１シールド片をフレームに固定した状態を示す斜視図
【図５】フレームおよび底辺壁の端部を拡大して示す側面断面図
【図６】第１および第２シールド片をフレームに固定した状態を示す斜視図
【図７】フレームおよび底辺壁の端部を拡大して示す側面断面図
【図８】側壁におけるかみ合いの様子を示す部分拡大図
【図９】側壁におけるかみ合いの様子を示す部分拡大図
【図１０】実施の形態２に係る側壁におけるかみ合いの様子を示す部分拡大図
【図１１】カラー陰極線管の側面断面図
【図１２】従来の内部磁気シールドの斜視図
【図１３】従来の内部磁気シールドの斜視図
【符号の説明】
１  前面パネル
２  ファンネル
３  外囲器
４  蛍光体スクリーン
５  色選別電極
６  電子銃
１２  クランピングスプリング
１３  フレーム
１８  第１シールド片
１９  第２シールド片
２０  内部磁気シールド
２１ａ、２２ａ  第１側壁
２１ｂ、２２ｂ  第２側壁
２３ａ、２３ｂ  結合片
２４ａ、２４ｂ  結合孔
１４１、１４２、１４３  フレーム孔
１５１、１５２  突起
１６１、１６２、１６３  底辺孔
１７１、１７２  底辺壁
１８１、１９１  長辺壁
１８２、１９２  短辺壁
【図１】
0003915572.tif 000002
【図２】
0003915572.tif 000003
【図３】
0003915572.tif 000004
【図４】
0003915572.tif 000005
【図５】
0003915572.tif 000006
【図６】
0003915572.tif 000007
【図７】
0003915572.tif 000008
【図８】
0003915572.tif 000009
【図９】
0003915572.tif 000010
【図１０】
0003915572.tif 000011
【図１１】
0003915572.tif 000012
【図１２】
0003915572.tif 000013
【図１３】
0003915572.tif 000014